(57)【要約】【課題】ドラムカートリッジにロック部材を設けることが困難な場合でも、現像カートリッジにロック部材を設けることができる現像カートリッジを提供する。【解決手段】  現像カートリッジ１は、現像ローラ２と、筐体３と、電極５と、ギア７と、フック１０とを備える。現像ローラ２は、第１方向に延びる軸Ａ１について回転可能である。筐体３は、第１方向に延び、トナーを収容可能である。電極５は、第１方向における筐体３の外表面Ｓ１に位置し、第１方向に延びる。ギア７は、電極５について回転可能である。フック１０は、第２方向においてギア７に対して現像ローラ２の反対側に位置し、第１位置と第２位置との間で移動可能である。【選択図】図１
2020166045.tif 000002
【特許請求の範囲】
【請求項１】
第１方向に延びる軸について回転可能な現像ローラと、
前記第１方向に延び、トナーを収容可能な筐体と、
前記第１方向における前記筐体の外表面に位置し、前記第１方向に延びる電極と、
前記電極について回転可能なギアと、
第２方向において前記ギアに対して前記現像ローラの反対側に位置し、第１位置と第２位置との間で移動可能なフックと
を備えることを特徴とする、現像カートリッジ。
【請求項２】
前記フックは、前記第１方向に沿って、前記第１位置と、前記第１位置よりも前記筐体から離れる前記第２位置との間で移動可能であることを特徴とする、請求項１に記載の現像カートリッジ。
【請求項３】
前記現像カートリッジは、さらに、
前記フックが第１位置に位置することを許容する第１回動位置と、前記フックを前記第２位置に位置させる第２回動位置との間で移動可能なカムを備えることを特徴とする、請求項２に記載の現像カートリッジ。
【請求項４】
前記カムは、前記第１方向に延びる回動軸について回動可能であることを特徴とする、請求項３に記載の現像カートリッジ。
【請求項５】
前記現像カートリッジは、さらに、
前記第１方向に沿って延び、前記第１位置と前記第２位置との間での前記フックの移動をガイドするガイドを備えることを特徴とする、請求項２から請求項４のいずれか一項に記載の現像カートリッジ。
【請求項６】
前記現像カートリッジは、ドラムカートリッジに装着可能であり、
前記現像カートリッジが前記ドラムカートリッジに装着された状態で前記フックが前記第１位置に位置する場合、前記フックは、前記ドラムカートリッジの一部に引っかかり、
前記現像カートリッジが前記ドラムカートリッジに装着された状態で前記フックが前記第２位置に位置する場合、前記フックは、前記ドラムカートリッジに引っかからないことを特徴とする、請求項１から請求項５のいずれか一項に記載の現像カートリッジ。
【請求項７】
前記現像カートリッジは、さらに、前記第２位置に位置する前記フックを前記第１位置に向けて引っ張る引張バネを備え、
前記現像カートリッジが前記ドラムカートリッジに装着される途中で、前記フックは、前記ドラムカートリッジと接触し、前記ドラムカートリッジからの反力によって、前記引張バネの力に抗して前記第１位置から前記第２位置へ移動し、
前記現像カートリッジが前記ドラムカートリッジに装着されるときに、前記フックは、前記引張バネに引っ張られることによって前記第２位置から前記第１位置に向かって移動することを特徴とする、請求項６に記載の現像カートリッジ。
【請求項８】
前記ドラムカートリッジは、前記ドラムカートリッジに装着された前記現像カートリッジを前記ドラムカートリッジから取り外すためのレバーを備え、
前記現像カートリッジは、前記フックが第１位置に位置することを許容する第１回動位置と、前記フックを前記第２位置に位置させる第２回動位置との間で移動可能なカムを備え、
前記現像カートリッジが前記ドラムカートリッジに装着された状態で、前記レバーが操作されることにより、前記カムは、前記第１回動位置から前記第２回動位置へ移動し、
前記カムが前記第１回動位置から前記第２回動位置へ移動することにより、前記フックは、前記第１位置から前記第２位置に移動し、
前記フックが前記第２位置に位置した状態で、前記現像カートリッジは、前記ドラムカートリッジから取り外し可能であることを特徴とする、請求項６または請求項７に記載の現像カートリッジ。
【請求項９】
前記現像カートリッジが前記ドラムカートリッジに装着された状態で、前記フックが操作されることにより、前記フックは、前記第１位置から前記第２位置に移動し、
前記フックが前記第２位置に位置した状態で、前記現像カートリッジは、前記ドラムカートリッジから取り外し可能であることを特徴とする、請求項６または請求項７に記載の現像カートリッジ。
【請求項１０】
さらに、前記ギアとともに回転可能な突起を備えることを特徴とする、請求項１から請求項９のいずれか一項に記載の現像カートリッジ。
【請求項１１】
前記ギアは、ギア歯を有する部分と、ギア歯を有さない部分とを有する欠け歯ギアであることを特徴とする、請求項１から請求項１０のいずれか一項に記載の現像カートリッジ。
【発明の詳細な説明】
【技術分野】
【０００１】
本開示は、現像カートリッジに関する。
【背景技術】
【０００２】
従来、現像カートリッジは、現像ローラと、筐体と、電極と、ギアとを備える。現像ローラは、第１方向に延びる軸について回転可能である。筐体は、第１方向に延び、トナーを収容可能である。電極は、第１方向における筐体の外表面に位置し、第１方向に延びる。ギアは、電極について回転可能である。現像カートリッジは、ドラムカートリッジに装着可能である（下記特許文献１参照）。
【先行技術文献】
【特許文献】
【０００３】
【特許文献１】特開２０１８−００５１７７号公報
【発明の概要】
【発明が解決しようとする課題】
【０００４】
上記した特許文献１に記載されるような現像カートリッジにおいて、ドラムカートリッジに装着された現像カートリッジがドラムカートリッジから外れないように、現像カートリッジをドラムカートリッジにロックするロック部材を設けたいという要望がある。
【０００５】
そこで、ドラムカートリッジにロック部材を設けることが考えられるが、例えば、ドラムカートリッジの小型化が図られた結果、ロック部材を設けるためのスペースをドラムカートリッジに確保することが困難になる場合がある。
【０００６】
そこで、本開示の目的は、ドラムカートリッジにロック部材を設けることが困難な場合でも、現像カートリッジにロック部材を設けることができる現像カートリッジを提供することにある。
【課題を解決するための手段】
【０００７】
（１）本開示の現像カートリッジは、現像ローラと、筐体と、電極と、ギアと、フックとを備える。現像ローラは、第１方向に延びる軸について回転可能である。筐体は、第１方向に延び、トナーを収容可能である。電極は、第１方向における筐体の外表面に位置し、第１方向に延びる。ギアは、電極について回転可能である。フックは、第２方向においてギアに対して現像ローラの反対側に位置し、第１位置と第２位置との間で移動可能である。
【０００８】
このような構成によれば、現像カートリッジは、ギアに対して現像ローラの反対側において、第１位置と第２位置との間で移動可能なフックを備える。
【０００９】
そのため、現像カートリッジがドラムカートリッジに装着されたときに、フックをドラムカートリッジの一部に引っ掛けて、現像カートリッジをドラムカートリッジにロックすることができる。
【００１０】
その結果、ドラムカートリッジにロック部材を設けることが困難な場合でも、現像カートリッジにフックを設けることで、ドラムカートリッジに対して現像カートリッジをロックできる。
【００１１】
また、現像カートリッジをドラムカートリッジから取り外すときには、フックを移動させることにより、ドラムカートリッジの一部からフックを外し、ドラムカートリッジに対する現像カートリッジのロックを解除することができる。
【００１２】
（２）フックは、第１方向に沿って、第１位置と、第１位置よりも筐体から離れる第２位置との間で移動可能であってもよい。
【００１３】
（３）現像カートリッジは、さらに、カムを備えてもよい。カムは、第１回動位置と第２回動位置との間で移動可能である。カムが第１回動位置に位置する場合、カムは、フックが第１位置に位置することを許容する。カムが第２回動位置に位置する場合、カムは、フックを第２位置に位置させる。
【００１４】
（４）カムは、第１方向に延びる回動軸について回動可能であってもよい。
【００１５】
（５）現像カートリッジは、さらに、ガイドを備えてもよい。ガイドは、第１方向に沿って延び、第１位置と第２位置との間でのフックの移動をガイドする。
【００１６】
（６）現像カートリッジは、ドラムカートリッジに装着可能であってもよい。現像カートリッジがドラムカートリッジに装着された状態でフックが第１位置に位置する場合、フックは、ドラムカートリッジの一部に引っかかる。現像カートリッジがドラムカートリッジに装着された状態でフックが第２位置に位置する場合、フックは、ドラムカートリッジに引っかからない。
【００１７】
（７）現像カートリッジは、さらに、引張バネを備えてもよい。引張バネは、第２位置に位置するフックを第１位置に向けて引っ張る。現像カートリッジがドラムカートリッジに装着される途中で、フックは、ドラムカートリッジと接触し、ドラムカートリッジからの反力によって、引張バネの力に抗して第１位置から第２位置へ移動する。現像カートリッジがドラムカートリッジに装着されるときに、フックは、引張バネに引っ張られることによって第２位置から第１位置に向かって移動する。
【００１８】
このような構成によれば、現像カートリッジをドラムカートリッジに装着する動作により、フックを第１位置から第２位置に移動させ、その後、現像カートリッジがドラムカートリッジに装着されるときに、フックを第１位置に位置させることができる。
【００１９】
そのため、現像カートリッジをドラムカートリッジに装着する動作と、フックを移動させる動作とを別に行う必要がなく、操作性を向上させることができる。
【００２０】
（８）ドラムカートリッジは、ドラムカートリッジに装着された現像カートリッジをドラムカートリッジから取り外すためのレバーを備えてもよい。現像カートリッジがドラムカートリッジに装着された状態で、レバーが操作されることにより、カムは、第１回動位置から第２回動位置へ移動する。カムが第１回動位置から第２回動位置へ移動することにより、フックは、第１位置から第２位置に移動する。フックが第２位置に位置した状態で、現像カートリッジは、ドラムカートリッジから取り外し可能である。
【００２１】
（９）現像カートリッジがドラムカートリッジに装着された状態で、フックが操作されることにより、フックは、第１位置から第２位置に移動してもよい。
【００２２】
（１０）現像カートリッジは、さらに、ギアとともに回転可能な突起を備えてもよい。
【００２３】
（１１）ギアは、ギア歯を有する部分と、ギア歯を有さない部分とを有する欠け歯ギアであってもよい。
【発明の効果】
【００２４】
本開示の現像カートリッジによれば、ドラムカートリッジにロック部材を設けることが困難な場合でも、現像カートリッジにフックを設けることで、ドラムカートリッジに対して現像カートリッジをロックできる。
【図面の簡単な説明】
【００２５】
【図１】図１は、現像カートリッジの斜視図である。
【図２】図２は、図１に示す現像カートリッジの分解斜視図である。
【図３】図３は、現像カートリッジが装着されたドラムカートリッジの斜視図である。
【図４】図４Ａは、フックの移動について説明する説明図であって、フックが第１位置に位置した状態を示し、図４Ｂは、図４Ａとともにフックの移動について説明する説明図であって、フックが第２位置に位置した状態を示す。
【図５】図５Ａは、現像カートリッジがドラムカートリッジに装着され、フックが第１位置に位置して、ドラムカートリッジのリブに引っかかった状態を示し、図５Ｂは、現像カートリッジがドラムカートリッジに装着され、フックが第２位置に位置して、ドラムカートリッジのリブから外れた状態を示す。
【図６】図６Ａは、レバーとフックとの連動を説明する説明図であって、レバーがレバー第１位置に位置し、カムが第１回動位置に位置し、フックが第１位置に位置した状態を示し、図６Ｂは、図６Ａとともにレバーとフックとの連動を説明する説明図であって、レバーがレバー第２位置に位置し、カムが第２回動位置に位置し、フックが第２位置に位置した状態を示す。
【図７】図７Ａは、ドラムカートリッジに対する現像カートリッジの装着を説明する説明図であって、第１位置に位置するフックがドラムカートリッジのリブに位置した状態を示し、図７Ｂは、図７Ａとともにドラムカートリッジに対する現像カートリッジの装着を説明する説明図であって、ドラムカートリッジのリブにより、第１位置に位置するフックが第２位置に移動された状態を示す。
【図８】図８は、変形例を説明する説明図であって、フックが第１位置に位置する状態を示す。
【図９】図９は、図８とともに変形例を説明する説明図であって、フックが第２位置に位置する状態を示す。
【発明を実施するための形態】
【００２６】
１．現像カートリッジ１の概略
図１および図２を参照して、現像カートリッジ１の概略について説明する。
【００２７】
現像カートリッジ１は、トナーを収容可能なカートリッジである。現像カートリッジ１は、現像ローラ２と、筐体３と、軸受４と、電極５と、アジテータギア６（図２参照）と、ギア７（図２参照）と、突起８（図２参照）と、ギアカバー９とを備える。
【００２８】
１．１  現像ローラ２
図１に示すように、現像ローラ２は、第１方向に延びる軸Ａ１について回転可能である。現像ローラ２は、現像ローラ本体２Ａと、現像ローラシャフト２Ｂとを備える。
【００２９】
現像ローラ本体２Ａは、第１方向に延びる。現像ローラ本体２Ａは、導電性を有するゴムから作られる。現像ローラ本体２Ａは、円柱形状を有する。現像ローラ本体２Ａの一部は、筐体３から露出している。
【００３０】
現像ローラシャフト２Ｂは、軸Ａ１に沿って延びる。現像ローラシャフト２Ｂは、円柱形状を有する。現像ローラシャフト２Ｂは、金属から作られる。現像ローラシャフト２Ｂは、現像ローラ本体２Ａの径方向において、現像ローラ本体２Ａの内部に位置する。現像ローラシャフト２Ｂは、第１方向において、現像ローラ本体２Ａを貫通する。なお、現像ローラシャフト２Ｂは、現像ローラ本体２Ａを第１方向に貫通していなくてもよい。現像ローラシャフト２Ｂは、第１方向における現像ローラ本体２Ａの両端にそれぞれ取り付けられてもよい。現像ローラ２は、現像ローラシャフト２Ｂについて回転可能である。
【００３１】
１．２  筐体３
筐体３は、トナーを収容可能である。筐体３は、第１方向に延びる。筐体３は、第１方向における一方側に位置する外表面Ｓ１と、第１方向における他方側に位置する外表面Ｓ２とを有する。
【００３２】
１．３  軸受４
軸受４は、図２に示すように、外表面Ｓ１に位置する。軸受４は、貫通穴４Ａを有する。貫通穴４Ａには、現像ローラシャフト２Ｂが挿入される。これにより、軸受４は、現像ローラシャフト２Ｂを軸受けする。また、軸受４は、導電性の樹脂からなる。これにより、軸受け４が現像ローラシャフト２Ｂを軸受した状態で、軸受４と現像ローラシャフト２Ｂとが電気的に接続される。
【００３３】
１．４  電極５
電極５は、第１方向における筐体３の外表面Ｓ１に位置する。電極５は、第２方向において現像ローラ２から離れて位置する。第２方向は、第１方向と交差する。好ましくは、第２方向は、第１方向と直交する。電極５は、現像ローラ２と電気的に接続される。詳しくは、電極５は、導電性の樹脂からなり、軸受４から延びる。これにより、電極５が受けた電力は、軸受４を介して、現像ローラ２に伝わる。電極５は、第１方向に延びる。詳しくは、電極５は、第１方向に延びる軸Ａ２に沿って延びる。電極５は、円筒形状を有する。
【００３４】
１．５  アジテータギア６
アジテータギア６は、外表面Ｓ１に位置する。アジテータギア６は、図示しないアジテータに取り付けられる。アジテータは、筐体３内に設けられる。アジテータは、外表面Ｓ２（図１参照）に位置する図示しないカップリングおよびギア列を介して、画像形成装置からの動力を受けて、回転する。アジテータは、回転することにより、筐体３内のトナーを撹拌する。アジテータギア６は、アジテータとともに回転可能である。
【００３５】
１．６  ギア７
ギア７は、筐体３の外表面Ｓ１に位置する。ギア７は、電極５について回転可能である。詳しくは、ギア７は、貫通穴７Ａを有する。貫通穴７Ａには、電極５が挿入される。これにより、ギア７は、電極５について回転可能である。ギア７は、アジテータギア６と噛み合う。ギア７は、ギア歯を有する部分と、ギア歯を有さない部分とを有する欠け歯ギアである。ギア７は、現像カートリッジ１が画像形成装置に取り付けられた状態で、ギア歯を有する部分がアジテータギア６と噛み合っている間、回転する。そして、ギア７は、ギア歯を有する部分とアジテータギア６との噛み合いが解除される位置まで回転して、停止する。
【００３６】
１．７  突起８
突起８は、ギア７とともに回転可能である。突起８は、ギアとともに回転することにより、電極５の周りを回る。突起８は、ギア７から延びる。突起８は、第１方向に延びる。また、突起８は、ギア７の回転方向に延びる。突起８は、具体的には、１つ設けられる。なお、突起８は、複数であってもよい。この場合、複数の突起８は、ギア７の回転方向において、互いに間隔を隔てて並ぶ。
【００３７】
１．８  ギアカバー
図１に示すように、ギアカバー９は、筐体３の外表面Ｓ１に位置する。ギアカバー９は、筐体３の外表面Ｓ１に取り付けられる。ギアカバー９は、ギア７（図２参照）の少なくとも一部を覆う。ギアカバー９は、開口９Ａを有する。開口９Ａ内には、電極５が位置する。なお、突起８は、ギア７とともに回転することにより、電極５の周りを回りつつ、開口９Ａを介してギアカバー９の内からギアカバー９の外に出て、その後、開口９Ａを介してギアカバー９の内に入る。
【００３８】
２．現像カートリッジ１の詳細
次に、図１から図６Ｂを参照して、現像カートリッジ１の詳細について説明する。
【００３９】
図１および図２に示すように、現像カートリッジ１は、さらに、フック１０と、ガイド１１と、引張バネ１２（図２参照）と、カム１３（図２参照）とを備える。
【００４０】
そして、図３に示すように、現像カートリッジ１は、ドラムカートリッジ２０に装着可能である。
【００４１】
２．１  フック１０
図１に示すように、本実施形態では、フック１０は、ギアカバー９に取り付けられる。フック１０は、ギアカバー９を介して、筐体３の外表面Ｓ１に位置する。なお、フック１０は、筐体３に取り付けられてもよい。フック１０は、第２方向において、電極５に対して現像ローラ２の反対側に位置する。また、フック１０は、第２方向において、ギア７（図２参照）に対して現像ローラ２の反対側に位置する。
【００４２】
図４Ａおよび図４Ｂに示すように、フック１０は、第１方向に沿って、第１位置（図４Ａ参照）と第２位置（図４Ｂ参照）との間で移動可能である。フック１０が第２位置に位置する場合、フック１０は、フック１０が第１位置に位置する場合よりも、筐体３から離れる。
【００４３】
現像カートリッジ１がドラムカートリッジ２０に装着された状態で、フック１０が第１位置に位置する場合、図５Ａに示すように、フック１０は、ドラムカートリッジ２０の一部に引っかかる。詳しくは、現像カートリッジ１がドラムカートリッジ２０に装着された状態で、フック１０が第１位置に位置する場合、フック１０は、ドラムカートリッジ２０のドラムフレーム２２のリブ２２Ｄに引っかかる。ドラムフレーム２２については、後で説明する。フック１０がドラムカートリッジ２０のリブ２２Ｄに引っかかることにより、現像カートリッジ１は、ドラムカートリッジ２０から外れなくなる。
【００４４】
一方、現像カートリッジ１がドラムカートリッジ２０に装着された状態で、フック１０が第２位置に位置する場合、図５Ｂに示すように、フック１０は、ドラムカートリッジ２０に引っかからない。フック１０がドラムカートリッジ２０に引っかからないことにより、現像カートリッジ１は、ドラムカートリッジ２０から取り外し可能になる。
【００４５】
詳しくは、図４Ａに示すように、フック１０は、第１板１０Ａと、第２板１０Ｂと、第３板１０Ｃとを有する。
【００４６】
第１板１０Ａは、第１方向において、筐体３から離れて位置する。第１板１０Ａは、第３方向に延びる。第３方向は、第１方向および第２方向（図１参照）の両方と交差する。詳しくは、第３方向は、第１方向と直交し、第２方向と交差する。第１板１０Ａは、第３方向において、第１端部Ｅ１と、第２端部Ｅ２とを有する。第２端部Ｅ２は、第３方向において、第１端部Ｅ１から離れて位置する。第１板１０Ａは、突起１０１を有する。
【００４７】
突起１０１は、第１板１０Ａの第１端部Ｅ１に位置する。突起１０１は、第１板１０Ａから筐体３に向かって突出する。突起１０１は、第１方向に延びる。突起１０１は、傾斜面１０１Ａを有する。傾斜面１０１Ａは、第３方向に対して傾斜する。詳しくは、傾斜面１０１Ａは、第１端部Ｅ１から第２端部Ｅ２へ向かうにつれて筐体３に近づく方向に、傾斜している。
【００４８】
第２板１０Ｂは、第３方向において突起１０１から離れて位置する。第２板１０Ｂは、第１板１０Ａの第２端部Ｅ２から筐体３に向かって延びる。第２板１０Ｂは、第１方向に延びる。
【００４９】
第３板１０Ｃは、第１方向において、第１板１０Ａから離れて位置する。第３板１０Ｃは、第１方向において、筐体３と第１板１０Ａとの間に位置する。第３板１０Ｃは、第２板１０Ｂから延びる。第３板１０Ｃは、第３方向に延びる。
【００５０】
２．２  ガイド１１
ガイド１１は、第１位置（図４Ａ参照）と第２位置（図４Ｂ参照）との間でのフック１０の移動をガイドする。詳しくは、ガイド１１は、第３方向において、フック１０の第２板１０Ｂと向かい合う。ガイド１１は、第１方向に沿って延びる。本実施形態では、ガイド１１は、ギアカバー９から延びる。なお、ガイド１１は、筐体３から延びてもよい。ガイド１１は、板形状を有する。フック１０が第１位置と第２位置との間で移動するとき、フック１０は、第２板１０Ｂがガイド１１と接触した状態で、ガイド１１に沿って第１方向に移動する。
【００５１】
２．３  引張バネ１２
引張バネ１２は、第１方向において、ギアカバー９とフック１０との間に位置する。引張ばね１２は、第１方向において、筐体３とフック１０との間に位置する。引張ばね１２は、第１方向に伸縮可能である。第１方向における引張ばね１２の一端部は、フック１０の第３板１０Ｃに取り付けられる。本実施形態では、第１方向における引張ばね１２の他端部は、ギアカバー９に取り付けられる。なお、第１方向における引張ばね１２の他端部は、筐体３に取り付けられてもよい。引張バネ１２は、第２位置（図４Ｂ参照）に位置するフック１０を第１位置（図４Ａ参照）に向けて引っ張る。
【００５２】
２．４  カム１３
図４Ａに示すように、本実施形態では、カム１３は、ギアカバー９に取り付けられる。カム１３は、ギアカバー９を介して、筐体３の外表面Ｓ１に位置する。なお、カム１３は、筐体３に取り付けられてもよい。カム１３は、第３方向において、フック１０の第３板１０Ｃに対して、ガイド１１の反対側に位置する。
【００５３】
カム１３は、図６Ａおよび図６Ｂに示すように、第１回動位置（図６Ａ参照）と、第２回動位置（図６Ｂ参照）との間で移動可能である。カム１３は、第１回動位置と第２回動位置との間を、第１方向に延びる回動軸Ａ３について回動可能である。
【００５４】
詳しくは、カム１３は、図２に示すように、シャフト１３Ａと、突起１３Ｂ、レバー１３Ｃとを有する。
【００５５】
２．４．１  シャフト１３Ａ
シャフト１３Ａは、回動軸Ａ３（図６Ａ参照）に沿って第１方向に延びる。シャフト１３Ａは、円柱形状を有する。シャフト１３Ａは、第３方向において、フック１０の第３板１０Ｃに対して、ガイド１１（図４Ａ参照）の反対側に位置する。
【００５６】
２．４．２  突起１３Ｂ
突起１３Ｂは、シャフト１３Ａの周面に位置する。突起１３Ｂは、シャフト１３Ａの周面から突出する。突起１３Ｂは、カム１３が第１回動位置から第２回動位置へ回動する回動方向Ｒに延びる。なお、突起１３Ｂは、シャフト１３Ａの周面に取り付けられていてもよい。突起１３Ｂは、回動方向Ｒにおいて、端部Ｅ１１と、端部Ｅ１２とを有する。突起１３Ｂは、傾斜面１３１と、平面１３２とを有する。
【００５７】
傾斜面１３１は、突起１３Ｂの端部Ｅ１２に位置する。傾斜面１３１は、回動方向Ｒに対して傾斜している。傾斜面１３１は、回動方向Ｒに向かうにつれて筐体３に近づく方向に、傾斜している。
【００５８】
平面１３２は、回動方向Ｒにおいて、傾斜面１３１の上流側に位置する。平面１３２は、回動方向Ｒに沿って延びる。
【００５９】
カム１３が第１回動位置（図６Ａ参照）に位置する場合、図５Ａに示すように、突起１３Ｂの傾斜面１３１は、第１方向において、第１位置に位置するフック１０の第３板１０Ｃと向かい合う。カム１３が第１回動位置に位置する場合、突起１３Ｂは、第１位置に位置するフック１０を押圧しない。なお、カム１３が第１回動位置に位置する場合、突起１３Ｂは、第３板１０Ｃから離れていてもよい。また、カム１３が第１回動位置に位置する場合、突起１３Ｂは、第３板１０Ｃと接触していてもよい。突起１３Ｂがフック１０を押圧しないことにより、フック１０は、引張ばね１２の力によって、第１位置に位置させられる。すなわち、カム１３が第１回動位置に位置する場合、カム１３は、フック１０が第１位置に位置することを許容する。
【００６０】
そして、カム１３が第１回動位置から第２回動位置（図６Ｂ参照）へ回動する場合、図５Ａおよび図５Ｂに示すように、突起１３Ｂの傾斜面１３１は、第１位置に位置するフック１０の第３板１０Ｃと接触する。第１位置に位置するフック１０は、カム１３が第１回動位置から第２回動位置へ回動するにつれて、傾斜面１３１によって、第２位置に向かって押圧される。すると、フック１０は、第１位置から第２位置に向かって移動する。
【００６１】
そして、カム１３が第２回動位置に位置する場合、突起１３Ｂの平面１３２（図２参照）は、フック１０の第３板１０Ｃと接触する。突起１３Ｂの平面１３２が第３板１０Ｃと接触することにより、フック１０は、第２位置に位置する。すなわち、カム１３が第２回動位置に位置する場合、カム１３は、フック１０を第２位置に位置させる。
【００６２】
２．４．３  レバー１３Ｃ
図６Ａに示すように、レバー１３Ｃは、シャフト１３Ａの周面から延びる。レバー１３Ｃは、シャフト１３Ａの径方向に延びる。カム１３が第１回動位置（図６Ａ参照）に位置する状態で、レバー１３Ｃは、第３方向において、シャフト１３Ａに対してフック１０の第３板１０Ｃの反対側に位置する。カム１３が第１回動位置に位置する状態で、レバー１３Ｃが回動方向Ｒに向かって押圧されることにより、カム１３は、第１回動位置から第２回動位置（図６Ｂ参照）に回動する。
【００６３】
３．ドラムカートリッジ２０
次に、図３と、図５Ａから図６Ｂとを参照して、現像カートリッジ１が装着されるドラムカートリッジ２０について説明する。
【００６４】
図３に示すように、ドラムカートリッジ２０は、感光ドラム２１と、ドラムフレーム２２と、レバー２３とを備える。
【００６５】
３．１  感光ドラム２１
感光ドラム２１は、第１方向に延びる軸Ａ１１について回転可能である。感光ドラム２１は、軸Ａ１１に沿って第１方向に延びる。感光ドラム２１は、円筒形状を有する。感光ドラム２１は、第２方向におけるドラムカートリッジ２０の一端部に位置する。
【００６６】
３．２  ドラムフレーム２２
ドラムフレーム２２は、感光ドラム２１を支持する。現像カートリッジ１がドラムカートリッジ２０に装着された状態で、ドラムフレーム２２は、現像カートリッジ１を支持する。ドラムフレーム２２は、第１方向および第２方向に延びる。ドラムフレーム２２は、トレイ形状を有する。ドラムフレーム２２は、第１側板２２Ａと、第２側板２２Ｂと、底板２２Ｃ（図５Ａ参照）と、リブ２２Ｄ（図５Ａ参照）とを有する。
【００６７】
第１側板２２Ａは、第１方向におけるドラムフレーム２２の一端部に位置する。第１側板２２Ａは、図５Ａに示すように、第３方向に延びる。現像カートリッジ１がドラムカートリッジ２０に装着された状態で、第１側板２２Ａは、第１方向において、筐体３の外表面Ｓ１と向かい合う。現像カートリッジ１がドラムカートリッジ２０に装着された状態で、第１側板２２Ａは、第１方向において、筐体３の外表面Ｓ１と、フック１０の第１板１０Ａとの間に位置する。また、現像カートリッジ１がドラムカートリッジ２０に装着された状態で、第１側板２２Ａは、第１方向において、筐体３の外表面Ｓ１と間隔を隔てる。現像カートリッジ１がドラムカートリッジ２０に装着された状態で、カム１３は、第１方向において、筐体３の外表面Ｓ１と、第１側板２２Ａとの間に位置する。
【００６８】
第２側板２２Ｂは、図３に示すように、第１方向におけるドラムフレーム２２の他端部に位置する。第２側板２２Ｂは、第３方向に延びる。現像カートリッジ１がドラムカートリッジ２０に装着された状態で、第２側板２２Ｂは、第１方向において、筐体３に対して第１側板２２Ａの反対側に位置する。
【００６９】
底板２２Ｃは、図５Ａに示すように、第１方向において、第１側板２２Ａと第２側板２２Ｂ（図３参照）との間に位置する。底板２２Ｃは、第１方向に延びる。第１方向における底板２２Ｃの一端部は、第１側板２２Ａと接続する。第１方向における底板２２Ｃの他端部は、第２側板２２Ｂと接続する。
【００７０】
リブ２２Ｄは、第１側板２２Ａから第１方向に突出する。リブ２２Ｄは、第１側板２２Ａに取り付けられていてもよい。リブ２２Ｄは、第１方向において、第１側板２２Ａに対して、第２側板２２Ｂの反対側に位置する。現像カートリッジ１がドラムカートリッジ２０に装着された状態で、フック１０が第１位置に位置する場合、リブ２２Ｄには、フック１０が引っかかる。リブ２２Ｄは、ドラムカートリッジ２０の一部の例である。なお、フック１０が引っかかるドラムカートリッジ２０の一部は、リブ２２Ｄに限られない。フック１０が引っかかるドラムカートリッジ２０の一部は、凹部であってもよい。
【００７１】
３．３  レバー２３
図３に示すように、レバー２３は、第２方向において、感光ドラム２１から離れて位置する。レバー２３は、第２方向におけるドラムカートリッジ２０の他端部に位置する。レバー２３は、現像カートリッジ１がドラムカートリッジ２０に装着された状態で、第２方向において、電極５に対して感光ドラム２１の反対側に位置する。レバー２３は、ドラムフレーム２２に取り付けられる。詳しくは、レバー２３は、ドラムフレーム２２の第１側板２２Ａに取り付けられる。レバー２３は、ドラムカートリッジ２０に装着された現像カートリッジ１をドラムカートリッジ２０から取り外すために用いられる。
【００７２】
詳しくは、図６Ａおよび図６Ｂに示すように、レバー２３は、レバー第１位置（図６Ａ参照）と、レバー第２位置（図６Ｂ参照）との間を移動可能である。レバー２３は、レバー第１位置とレバー第２位置との間を、第１方向に延びる回動軸Ａ１２について回動可能である。
【００７３】
詳しくは、図６Ａに示すように、レバー２３は、円筒部２３Ａと、操作部２３Ｂと、押圧部２３Ｃとを有する。
【００７４】
円筒部２３Ａは、回動軸Ａ１２に沿って第１方向に延びる。
【００７５】
操作部２３Ｂは、ユーザーがレバー２３をレバー第１位置からレバー第２位置に移動させるときに、ユーザーによって操作される部分である。ユーザーは、操作部２３Ｂを押すことにより、レバー２３をレバー第１位置からレバー第２位置に移動させることができる。操作部２３Ｂは、円筒部２３Ａから延びる。操作部２３Ｂは、円筒部２３Ａの径方向に延びる。操作部２３Ｂは、レバー２３がレバー第１位置に位置する状態で、第３方向に延びる。現像カートリッジ１がドラムカートリッジ２０に装着され、レバー２３がレバー第１位置に位置する状態で、操作部２３Ｂは、第２方向において、フック１０に対して、感光ドラム２１（図３参照）の反対側に位置する。
【００７６】
押圧部２３Ｃは、円筒部２３Ａから延びる。押圧部２３Ｃは、円筒部２３Ａの径方向に延びる。押圧部２３Ｃは、レバー２３がレバー第１位置に位置する状態で、カム１３のレバー１３Ｃに向かって延びる。現像カートリッジ１がドラムカートリッジ２０に装着された状態で、レバー２３がレバー第１位置からレバー第２位置に移動するときに、押圧部２３Ｃは、カム１３のレバー１３Ｃを回動方向Ｒに向かって押圧する。
【００７７】
４．ドラムカートリッジ２０からの現像カートリッジ１の取り外し
次に、図５Ａから図６Ｂを参照して、ドラムカートリッジ２０からの現像カートリッジ１の取り外しについて説明する。
【００７８】
現像カートリッジ１がドラムカートリッジ２０に装着された状態で、ユーザーが現像カートリッジ１をドラムカートリッジ２０から取り外す場合、ユーザーは、レバー２３の操作部２３Ｂを押す。
【００７９】
すると、図６Ａおよび図６Ｂに示すように、レバー２３がレバー第１位置からレバー第２位置に移動し、レバー２３の押圧部２３Ｃが、カム１３のレバー１３Ｃを回動方向Ｒに向かって押圧する。すると、カム１３は、第１回動位置から第２回動位置へ移動する。すなわち、現像カートリッジ１がドラムカートリッジ２０に装着された状態で、レバー２３が操作されることにより、カム１３は、第１回動位置から第２回動位置へ移動する。
【００８０】
カム１３が第１回動位置から第２回動位置へ移動すると、カム１３の突起１３Ｂがフック１０の第３板１０Ｃを押圧する。すると、図５Ａおよび図５Ｂに示すように、フック１０は、第１位置（図５Ａ参照）から第２位置（図５Ｂ参照）に移動する。すなわち、カム１３が第１回動位置から第２回動位置へ移動することにより、フック１０は、第１位置から第２位置に移動する。
【００８１】
そして、図５Ｂに示すように、フック１０が第２位置に位置すると、フック１０は、リブ２２Ｄから外れる。フック１０がリブ２２Ｄから外れることにより、現像カートリッジ１は、ドラムカートリッジ２０から取り外し可能になる。すなわち、フック１０が第２位置に位置した状態で、現像カートリッジ１は、ドラムカートリッジ２０から取り外し可能である。
【００８２】
そして、ユーザーが、レバー２３をレバー第２位置に位置させた状態で、現像カートリッジ１をドラムカートリッジ２０から取り外すことにより、現像カートリッジ１は、ドラムカートリッジ２０から外れる。
【００８３】
なお、ユーザーは、レバー２３を操作しないで、フック１０を掴んで、フック１０を第１位置から第２位置に移動させて、現像カートリッジ１をドラムカートリッジ２０から取り外してもよい。すなわち、現像カートリッジ１がドラムカートリッジ２０に装着された状態で、フック１０が操作されることにより、フック１０は、第１位置から第２位置に移動してもよい。
【００８４】
５．ドラムカートリッジ２０に対する現像カートリッジ１の装着
次に、図５Ａ、図７Ａおよび図７Ｂを参照して、ドラムカートリッジ２０に対する現像カートリッジ１の装着について説明する。
【００８５】
現像カートリッジ１がドラムカートリッジ２０に装着される場合、図７Ａに示すように、現像カートリッジ１がドラムカートリッジ２０に装着される途中で、フック１０は、ドラムカートリッジ２０と接触する。詳しくは、現像カートリッジ１がドラムカートリッジ２０に装着される途中で、フック１０の傾斜面１３１は、ドラムカートリッジ２０のリブ２２Ｄと接触する。
【００８６】
すると、図７Ａおよび図７Ｂに示すように、フック１０は、現像カートリッジ１がドラムカートリッジ２０に装着されるにつれて、ドラムカートリッジ２０からの反力によって、引張バネ１２の力に抗して第１位置から第２位置へ移動する。
【００８７】
そして、図７Ｂおよび図５Ａに示すように、現像カートリッジ１がドラムカートリッジ２０に装着されるときに、フック１０は、引張バネ１２に引っ張られることによって第２位置から第１位置に向かって移動する。
【００８８】
図５Ａに示すように、現像カートリッジ１に対するドラムカートリッジ２０の装着が完了すると、フック１０は、第１位置に位置してリブ２２Ｄに引っかかる。すると、現像カートリッジ１は、ドラムカートリッジ２０から外れなくなる。
【００８９】
６．作用効果
現像カートリッジ１は、図１に示すように、ギア７（図２参照）に対して現像ローラ２の反対側において、第１位置（図４Ａ参照）と第２位置（図４Ｂ参照）との間で移動可能なフック１０を備える。
【００９０】
そのため、現像カートリッジ１がドラムカートリッジ２０に装着されたときに、図５Ａに示すように、フック１０をドラムカートリッジ２０の一部、具体的には、リブ２２Ｄに引っ掛けて、現像カートリッジ１をドラムカートリッジ２０にロックすることができる。
【００９１】
その結果、ドラムカートリッジ２０にロック部材を設けることが困難な場合でも、現像カートリッジ１にフック１０を設けることで、ドラムカートリッジ２０に対して現像カートリッジ１をロックできる。
【００９２】
また、現像カートリッジ１をドラムカートリッジ２０から取り外すときには、図５Ｂに示すように、フック１０を移動させることにより、ドラムカートリッジ２０の一部からフック１０を外し、ドラムカートリッジ２０に対する現像カートリッジ１のロックを解除することができる。
【００９３】
また、現像カートリッジ１は、図７Ａおよび図７Ｂに示すように、現像カートリッジ１をドラムカートリッジ２０に装着する動作により、フック１０を第１位置から第２位置に移動させ、その後、図７Ｂおよび図５Ａに示すように、現像カートリッジ１がドラムカートリッジ２０に装着されるときに、引張ばね１２の力により、フック１０を第２位置から第１位置に移動させることができる。
【００９４】
そのため、現像カートリッジ１をドラムカートリッジ２０に装着する動作と、フック１０を移動させる動作とを別に行う必要がなく、操作性を向上させることができる。
【００９５】
７．変形例
次に、図８および図９を参照して、変形例について説明する。変形例において、上記した実施形態と同様の部材には同じ符号を付し、説明を省略する。
【００９６】
フック３０は、図８に示すように、第２方向における筐体３の外表面に位置してもよい。つまり、フック３０は、第１方向における筐体３の外表面Ｓ１に位置しなくてもよい。フック３０は、第２方向において、筐体３に対して、現像ローラ２の反対側に位置する。
【００９７】
また、フック３０は、図８および図９に示すように、第１位置（図８参照）と、第２位置（図９参照）との間を回動可能であってもよい。つまり、フック３０は、第１方向に沿って移動しなくてもよい。
【００９８】
また、フック３０は、ユーザによって掴まれるタブ３１を有してもよい。フック３０は、ユーザがタブ３１を掴んで、フック３０を第１位置から第２位置に回動させることにより、第２位置に位置してもよい。すなわち、現像カートリッジ１がドラムカートリッジ２０に装着された状態で、フック３０が操作されることにより、フック３０は、第１位置から第２位置に移動してもよい。なお、この場合、現像カートリッジ１は、カム１３を備えなくてもよい。また、ドラムカートリッジ２０は、レバー２３を備えなくてもよい。
【符号の説明】
【００９９】
１        現像カートリッジ
２        現像ローラ
３        筐体
５        電極
７        ギア
８        突起
１０      フック
１１      ガイド
１２      引張バネ
１３      カム
２０      ドラムカートリッジ
２３      レバー
３０      フック
Ａ１      軸
Ａ３      回動軸
【図１】
2020166045.tif 000003
【図２】
2020166045.tif 000004
【図３】
2020166045.tif 000005
【図４】
2020166045.tif 000006
【図５】
2020166045.tif 000007
【図６】
2020166045.tif 000008
【図７】
2020166045.tif 000009
【図８】
2020166045.tif 000010
【図９】
2020166045.tif 000011